(57)【特許請求の範囲】
【請求項１】
高圧水を噴射するノズルに高圧水を供給するローターと、ローターの導水路に高圧水を送り込むものであってローターを内部に装着するロータリジョイントを有する装置本体と、ローターに高圧水を供給する高圧水供給装置と、ローターに連結するエアモータと、ローターに連結するノズルヘッドとを備えるものであって、ノズルから煙突石綿断熱材の剥離除去に必要な分量の高圧水を噴射し、かつ、エアモータにノズルヘッドを駆動するための回転数やトルクの調整を行うスピードコントローラーを設け、スピードコントローラーを用いてノズルの旋回速度を調整することにより、高圧水による汚染水の排出を抑制することを特徴とする煙突用石綿除去装置。
【発明の詳細な説明】
【技術分野】
【０００１】
本発明は、煙突のアスベストライニング材を高圧水で除去する煙突用石綿除去装置に関する。
【背景技術】
【０００２】
昭和年代に建設されたボイラーなどに接続される筒状構造物の煙突のほとんどは、煙突内壁に結合材によって圧縮筒状に形成されるアスベスト含有のライニング材（煙突石綿断熱材、以下、単に「アスベスト材」という。）が設けられていた。煙突内は高温な酸性ガスの通り道であるため、そのガスにより結合材が劣化するとアスベスト繊維のくずれが生じ、アスベスト材の剥落が起こり、煙突の脚部点検口にアスベストが堆積していた。このような状態で、排煙させると、煙突内壁のアスベスト繊維が煙とともに大気中に排出されるおそれがあった。また、アスベスト繊維を吸い込むと中皮腫・肺がんの原因となるため、現在、アスベストの製造・輸入は禁止され、またアスベストの飛散防止対策が義務付けられている。
【０００３】
現在、上記問題を解決するために、高圧水を用いたブラスト洗浄により煙突内壁を洗浄する石綿管破砕装置や煙突洗浄装置が提供されている（例えば、特許文献１、特許文献２）。
【特許文献１】特開２００２−７０３３１（図３及び図４）
【特許文献２】特開平９−２４８５３６（図１及び図２）
【０００４】
特許文献１の石綿管破砕装置は、ノズルヘッドに高圧水を導水する流路を当該ノズルヘッドの中心から所定距離ずれた位置に２つの流路を設け、その流路に取り付けられるノズルから高圧水を噴射することによってノズルヘッドに回転力が生ずるように構成したものである。すなわち、特許文献１の石綿管破砕装置は、ノズルから噴射される高圧水の反力を用いてノズルヘッドを回転しノズルを旋回させて、高圧水で建物の躯体に埋設された石綿管を破砕除去するものであった。
【０００５】
特許文献２の煙突洗浄装置は、ストレートノズルと曲折ノズルを備えるノズルヘッドを有するものである。ストレートノズルから噴射される高圧水は、煙突の石綿管の表面に噴き付けられる。一方、曲折ノズルから噴射される高圧水は、その噴出によりノズルヘッドに周方向の推力を与え当該ノズルヘッドを適切な速度で回転させる。すなわち、特許文献２の煙突洗浄装置は、曲折ノズルから噴射される高圧水の反力によりノズルヘッドを回転し、ストレートノズルを旋回させて、その高圧水で煙突の煤を洗浄するものであった。
【０００６】
上記２つの特許文献の装置は、高圧水の反力を利用してノズルヘッドを適切な速度で回転させるものであったため、煙突の石綿管等に噴射する高圧水以外に、ノズルヘッドを回転させるための高圧水の供給も必要であった。
上記装置を使用して煙突のアスベスト材を除去する場合、その除去処理後、ノズルから射出された高圧水は、アスベスト繊維を含む汚染水（産業廃棄物）となる。当該産業廃棄物を処分するためには、その産業廃棄物を回収し浄化処理を行う必要があるが、従来の装置では、大量の産業廃棄物が排出されるという問題があった。
【発明の開示】
【発明が解決しようとする課題】
【０００７】
本発明は、上述の問題を解決するために、高圧水の反力を用いずにノズルヘッドを回転させ、高圧水による産業廃棄物の排出を抑制できる煙突用石綿除去装置を提供することを目的とするものである。
【課題を解決するための手段】
【０００８】
本発明の煙突用石綿除去装置は、高圧水を噴射するノズルに高圧水を供給するローターと、ローターの導水路に高圧水を送り込むものであってローターを内部に装着するロータリジョイントを有する装置本体と、ローターに高圧水を供給する高圧水供給装置と、ローターに連結するエアモータと、ローターに連結するノズルヘッドとを備えるものであって、ノズルから煙突石綿断熱材の剥離除去に必要な分量の高圧水を噴射し、かつ、エアモータにノズルヘッドを駆動するための回転数やトルクの調整を行うスピードコントローラーを設け、スピードコントローラーを用いてノズルの旋回速度を調整することにより、高圧水による汚染水の排出を抑制するようにしたものである。
【発明の効果】
【０００９】
本発明の煙突用石綿除去装置は、エアモータを用いてノズルヘッドを所定の回転速度に制御するものである。これにより、ノズルには、アスベスト材の除去のみに必要な高圧水を供給すればよいため、アスベスト繊維を含む汚染水（産業廃棄物）の排出量を抑制でき、また、その浄化処理を軽減することができる。
【発明を実施するための最良の形態】
【００１０】
本発明は、高圧水を用いたアスベスト除去処理によって排出されるアスベスト繊維を含む産業廃棄物の排出量を抑制することを実現するものである。
【実施例１】
【００１１】
本発明の煙突用石綿除去装置を図に基づいて説明する。図１は、本発明の煙突用石綿除去装置の主要部を表す図である。
煙突用石綿除去装置１０は、ローター１２の導水路に高圧水１４を送り込むロータリジョイント（ロータリー継手）１６を有する装置本体（ボディ）１８と、ローター１２に高圧水１４を供給する高圧水供給装置２０と、ローター１２を駆動するエアモータ２２と、ローター１２に連結するノズルヘッド２４とを備えるものである。ノズルヘッド２４には、高圧水供給装置２０からローター１２を介して供給される高圧水１４を噴射するノズル２６が取り付けられている。なお、装置本体１８にはアイナット（又はアイボルト）２８が設けられており、図１において、装置本体１８は吊り部材（ロープ）３０を介して図示しない巻き上げ機（例えば、電動のチェーンブロックやホイスト）により煙突３２内に吊り下げられた状態にあるものとする。
【００１２】
装置本体１８上部には、エアモータ台３４が固定されている。エアモータ台３４に備えるカップリング（軸継ぎ手）３６には、ローター１２の先端部１２ａが挿入され、所定の固定部材（螺子）で固定されている。上記カップリング３６にエアモータ２２の回転軸２２ａを挿入することにより、ローター１２とエアモータ２２とがカップリング３６によって連結させることができる。エアモータ２２に図示しないエアポンプからホースを介して供給される圧縮空気３８を供給口２２ａから送り込むと、エアモータ２２の動力は連結されるローター１２に伝達される。供給口２２ｂから送り込まれた空気３８は、エアモータ２２内部を通過して排気口２２ｃから煙突３２内に放出される。
なお、装置本体１８の下部には、ベアリング押さえ４０が所定の固定部材（ボルト）により固定されている。また、ローター１２は、ケーシング４２内に装着されており、エアモータ２２の動力を受けて自在に回転するように設けられているものとする。
【００１３】
ローター１２の下端部１２ｂは、ノズルヘッド２４の流路２４ａに挿入され、ノズルヘッド２４はローター１２に連結されている。高圧水供給装置２０から供給される高圧水１４は、ローター１２の内部（高圧水の導水路）を通りノズルヘッド２４の流路２４ａに排出され、当該流路２４ａに取り付けられているノズル２６から噴射される。この場合、ノズル２６からは、アスベスト材３２ａを剥離除去するために必要な分量の高圧水１４が噴射される。これにより、従来の装置において、ノズルヘッド２４を回転させるための動力として使用されていた高圧水１４の供給が不要となり、アスベスト繊維を含む産業廃棄物の排出を抑制することができる。
【００１４】
エアモータ２２によると、ノズルヘッド２４を駆動するための回転数やトルクの調整は、高圧水の反力でノズルヘッドを駆動させる従来の装置と異なり、スピードコントローラー等で簡単に調整できる。従って、ノズルヘッド２４の回転速度（又はノズル２６の旋回速度）を容易に制御することができる。過負荷時は、電気モータとは異なり、自動的に停止するため作業の安全を図ることができる。装置本体１８への取り付けも簡単である。電気モータを使用する場合は、防水処理を確実にする必要がある。
また、電気モータに比べ、小型軽量でありかつ高い動力を得ることが可能である。エアモータ２２をノズルヘッド２４の駆動源とすることにより、装置全体を小型軽量化でき、作業時の取り扱いも容易になる。さらに、エアモータは、圧縮空気で作動するため、可燃性ガスが発生する場所での作業も安全に行うことができる。
【００１５】
ノズルヘッド２４を駆動する他のモータとして、油圧を利用するものが考えられる。しかし、油圧のような流体でモータを作動させる場合、油圧をモータへ供給するホース以外に、それらを排出するホースを備える必要がある。また、ホースが劣化や損傷で破裂した場合、ホースから排出される油の回収処理が問題となる。エアモータ２２では、エアモータ２２へ供給した空気３８は排気口２２ｃからそのまま煙突３２内に放出でき、ホースが破裂した場合も問題は生じないという利点がある。
【００１６】
以上のように、本発明の煙突用石綿除去装置によると、ノズルヘッドを高圧水の反力を用いずに駆動できるため、従来ノズルヘッドを駆動するための動力として使用されていた高圧水の供給が不要となる。これにより、アスベスト除去作業で排出されるアスベスト繊維を含む産業廃棄物（汚染水）の排出を抑制することが可能になる。
【図面の簡単な説明】
【００１７】
【図１】本発明の煙突用石綿除去装置の主要部を表す図である。
【符号の説明】
【００１８】
１０  煙突用石綿除去装置
１２  ローター
１４  高圧水
１６  ロータリジョイント
１８  装置本体
２０  高圧水供給装置
２２  エアモータ
２４  ノズルヘッド
【図１】
0005801524.tif 000002